(57)【特許請求の範囲】
【請求項１】
替刃と柄を含み、替刃はカートリッジと枠部材を有し、カートリッジは、少なくとも１つの刃で構成される切断構造を有し、該切断構造の最前の刃先縁の前方に皮膚接触部であるガード部が設けられ、前記切断構造の最後方の刃先縁の後方に皮膚接触部であるキャップ部が設けられ、前記カートリッジとは別に、前記ガード部の前方にさらに前端皮膚接触部が設けられ、前記キャップ部の後方にさらに後端皮膚接触部が設けられ、これら前端皮膚接触部と後端皮膚接触部は共に枠部材に形成されており、髭剃り中に皮膚が前記ガード部、キャップ部、前端皮膚接触部及び後端皮膚接触部のいずれにも接触可能であり、前端皮膚接触部と後端皮膚接触部の共通接線である第一接線上又はそれよりも下方に少なくとも１つの刃先縁を有し、ガード部とキャップ部の共通接線である第二接線は前記第一接線と同じ高さ又はそれよりも下方に存在し、前端皮膚接触部と後端皮膚接触部の共通接線の両接点のスパンは、ガード部とキャップ部の共通接線の両接点のスパンの２倍以上４倍以下であり、前端皮膚接触部と後端皮膚接触部は回転可能なローラーで構成され、刃の刃先縁が向く方向を前側として、枠部材の前側に取り付けられているローラーの前端から上端にかけての外周、及び枠部材の後側に取り付けられているローラーの後端から上端にかけての外周が、共に枠部材よりも外側にはみ出していることを特徴とする安全かみそり。
【請求項２】
替刃と柄を含み、替刃はカートリッジと枠部材を有し、カートリッジは、少なくとも１つの刃で構成される切断構造を有し、該切断構造の最前の刃先縁の前方に皮膚接触部であるガード部が設けられ、前記切断構造の最後方の刃先縁の後方に皮膚接触部であるキャップ部が設けられ、前記カートリッジとは別に、前記ガード部の前方にさらに前端皮膚接触部が設けられ、前記キャップ部の後方にさらに後端皮膚接触部が設けられ、これら前端皮膚接触部と後端皮膚接触部は共に枠部材に形成されており、髭剃り中に皮膚が前記ガード部、キャップ部、前端皮膚接触部及び後端皮膚接触部のいずれにも接触可能であり、前端皮膚接触部と後端皮膚接触部は回転可能なローラーで構成され、刃の刃先縁が向く方向を前側として、枠部材の前側に取り付けられているローラーの前端から上端にかけての外周、及び枠部材の後側に取り付けられているローラーの後端から上端にかけての外周が、共に枠部材よりも外側にはみ出していることを特徴とする安全かみそり。
【発明の詳細な説明】
【技術分野】
【０００１】
本発明は、顔のほか足や腕の毛を剃るための安全かみそりに関する。
【背景技術】
【０００２】
顔のほか足や腕の毛を剃るための安全かみそりは存在する（例えば、特許文献１参照。）。
【特許文献１】特開２００６−２０４６６８号公報
【発明の開示】
【発明が解決しようとする課題】
【０００３】
本発明は、円滑且つ安定的に足や腕の毛を剃ることができる安全かみそりを提供することを課題とする。
【０００４】
主に男性が使用する通常の髭剃り用安全かみそりは、例えば３枚の刃を有する安全かみそりのカートリッジ替刃について言えば、切断構造は３枚の刃であり、その切断構造の最前の刃の前方で横方向に延びる棒状のガード部と、切断構造の最後方の刃先縁の後方で横方向に延びる平板状のキャップ部を有している。このガード部とキャップ部とが協働して切断構造全体をカバーして髭剃りの安全性及び安定性を確保している。ガード部とキャップ部はそれらの間に切断構造を介在して一定の距離を置いて離れているために、カートリッジ替刃は前後方向に一定の幅を有している。この一定の幅があるためにカートリッジ替刃の上面は一定の広さを有する。安全かみそりがこの一定の広さを有することによって、使用時にカートリッジ替刃を顔に宛てたとき、カートリッジ替刃はほぼ全面的に顔に接触し安全且つ安定的に髭剃りをすることができる。すなわち、男性が使用する通常の安全かみそりは顔を剃るのに適した構造である。
【０００５】
ところで、従来の安全かみそりで顔を剃るときは安全かみそりの刃先縁が顔の方向を向くように手前に向けて、同時に手も手前に向けて剃る。この剃る作業において、手を手前に向け、安全かみそりも手前に向けて剃ることに無理な動きを伴わないから、作業に困難性はなく比較的円滑且つ安定的に剃ることができる。したがって、従来の安全かみそりで髭を剃ることに手の動作的な支障はない。
【０００６】
これに対して、足や腕を剃るときは安全かみそり及びそれを持つ手を様々な方向に向けて変化させなければ剃ることができない。また、手首を大きく曲げて剃る作業も必要である。このような場合、腕を不自然に曲げたり手首を大きく曲げたりして毛を剃るので、手や腕の動きに無理が伴う場合がある。したがって、このように顔と異なる足や腕に安全かみそりを宛がって剃るときは手や腕の動きに無理が生じるために、手で安全かみそりをコントロールしにくくなり安全かみそりの安定性を得られず円滑に剃ることができない場合がある。すなわち、足や腕の毛を剃るときに、従来のカートリッジ替刃上面の広さでは安定性を得るためには不十分なのである。そこで、例えば替刃の前後方向の幅を広くすることによって安全かみそりのぐらつきなどを防止し安定的に剃ることが必要である。替刃の前後方向の幅を広くして安全かみそりを安定させるためには、従来の通常の安全かみそりのガード部とキャップ部の前後方向の幅を大きくすればよい。しかし、ガード部とキャップ部の幅を大きくすると皮膚との接触面積が増加して摩擦力が増加し円滑に剃ることができない。そこで、本発明は、主に足や腕の毛を円滑且つ安定的に剃ることができる安全かみそりを提供しようとするものである。
【０００７】
また、前記従来の通常の安全かみそりに対して、足や腕の毛を円滑に剃ることを目的とした安全かみそりが特許文献１で提案されている。特許文献１の安全かみそりは３枚の刃から成る切断構造を有しているが、通常の安全かみそりが有している切断構造全体をカバーするガード部とキャップ部を有していない。特許文献１の切断構造全体をカバーするものは先導接触部材と後続接触部材である。そして、先導接触部材は回転可能なローラーで構成し、後続接触部材はその表面に複数の円盤状ローラーを回転可能に取り付けてある。このローラー及び円盤状ローラーによって足や腕の毛を円滑に剃ろうとするものであるが、従来のような切断構造全体をカバーするガード部とキャップ部を有していないために安定性にやや欠ける。本発明は、円滑性と安定性を兼ね備えた安全かみそりを提供しようとするものである。
【課題を解決するための手段】
【０００８】
本発明の請求項１は、替刃と柄を含み、替刃はカートリッジと枠部材を有し、カートリッジは、少なくとも１つの刃で構成される切断構造を有し、該切断構造の最前の刃先縁の前方に皮膚接触部であるガード部が設けられ、前記切断構造の最後方の刃先縁の後方に皮膚接触部であるキャップ部が設けられ、前記カートリッジとは別に、前記ガード部の前方にさらに前端皮膚接触部が設けられ、前記キャップ部の後方にさらに後端皮膚接触部が設けられ、これら前端皮膚接触部と後端皮膚接触部は共に枠部材に形成されており、髭剃り中に皮膚が前記ガード部、キャップ部、前端皮膚接触部及び後端皮膚接触部のいずれにも接触可能であり、前端皮膚接触部と後端皮膚接触部の共通接線である第一接線上又はそれよりも下方に少なくとも１つの刃先縁を有し、ガード部とキャップ部の共通接線である第二接線は前記第一接線と同じ高さ又はそれよりも下方に存在し、前端皮膚接触部と後端皮膚接触部の共通接線の両接点のスパンは、ガード部とキャップ部の共通接線の両接点のスパンの２倍以上４倍以下であり、前端皮膚接触部と後端皮膚接触部は回転可能なローラーで構成され、刃の刃先縁が向く方向を前側として、枠部材の前側に取り付けられているローラーの前端から上端にかけての外周、及び枠部材の後側に取り付けられているローラーの後端から上端にかけての外周が、共に枠部材よりも外側にはみ出している構成である。
【０００９】
請求項２は、替刃と柄を含み、替刃はカートリッジと枠部材を有し、カートリッジは、少なくとも１つの刃で構成される切断構造を有し、該切断構造の最前の刃先縁の前方に皮膚接触部であるガード部が設けられ、前記切断構造の最後方の刃先縁の後方に皮膚接触部であるキャップ部が設けられ、前記カートリッジとは別に、前記ガード部の前方にさらに前端皮膚接触部が設けられ、前記キャップ部の後方にさらに後端皮膚接触部が設けられ、これら前端皮膚接触部と後端皮膚接触部は共に枠部材に形成されており、髭剃り中に皮膚が前記ガード部、キャップ部、前端皮膚接触部及び後端皮膚接触部のいずれにも接触可能であり、前端皮膚接触部と後端皮膚接触部は回転可能なローラーで構成され、刃の刃先縁が向く方向を前側として、枠部材の前側に取り付けられているローラーの前端から上端にかけての外周、及び枠部材の後側に取り付けられているローラーの後端から上端にかけての外周が、共に枠部材よりも外側にはみ出している構成である。
【発明の効果】
【００１０】
請求項１は、替刃と柄を含み、替刃はカートリッジと枠部材を有し、カートリッジは、少なくとも１つの刃で構成される切断構造を有し、該切断構造の最前の刃先縁の前方に皮膚接触部であるガード部が設けられ、前記切断構造の最後方の刃先縁の後方に皮膚接触部であるキャップ部が設けられ、前記カートリッジとは別に、前記ガード部の前方にさらに前端皮膚接触部が設けられ、前記キャップ部の後方にさらに後端皮膚接触部が設けられ、これら前端皮膚接触部と後端皮膚接触部は共に枠部材に形成されており、髭剃り中に皮膚が前記ガード部、キャップ部、前端皮膚接触部及び後端皮膚接触部のいずれにも接触可能であり、前端皮膚接触部と後端皮膚接触部の共通接線である第一接線上又はそれよりも下方に少なくとも１つの刃先縁を有し、ガード部とキャップ部の共通接線である第二接線は前記第一接線と同じ高さ又はそれよりも下方に存在し、前端皮膚接触部と後端皮膚接触部の共通接線の両接点のスパンは、ガード部とキャップ部の共通接線の両接点のスパンの２倍以上４倍以下であり、前端皮膚接触部と後端皮膚接触部は回転可能なローラーで構成され、刃の刃先縁が向く方向を前側として、枠部材の前側に取り付けられているローラーの前端から上端にかけての外周、及び枠部材の後側に取り付けられているローラーの後端から上端にかけての外周が、共に枠部材よりも外側にはみ出している。したがって、従来の安全かみそりと同様にガード部とキャップ部とが協働して切断構造全体をカバーして髭剃りの安全性を確保している。さらに、ガード部の前方に前端皮膚接触部が設けられ、キャップ部の後方に後端皮膚接触部が設けられ、髭剃り中に皮膚が前記ガード部、キャップ部、前端皮膚接触部及び後端皮膚接触部のいずれにも接触可能である。したがって、前端皮膚接触部及び後端皮膚接触部がガード部及びキャップ部と協働して実質的に安全かみそりのヘッドである刃装置の上面を実質的に広くしている。これにより、腕を不自然に曲げたり手首を大きく曲げたりして毛を剃る場合に、手や腕の動きに無理が伴うときがあっても、刃装置の広い上面が刃装置を安定した状態で支持し安全かみそりのぐらつきなどを防止するので、足や腕の毛を剃るときも安定的に作業をすることができる。また、前端皮膚接触部及び後端皮膚接触部がガード部及びキャップ部と協働して安全かみそりのヘッドである刃装置の上面を実質的に広くしているが、その実質的に広くしている部分は、切断構造の前方にあってはガード部と前端皮膚接触部であって、皮膚は切断構造の前方部分の全面に亘って接触しないから摩擦力は大きく増加することはない。さらに、切断構造の後方にあっては刃装置の上面を実質的に広くしている部分がキャップ部と後端皮膚接触部であって、皮膚は切断構造の後方部分の全面に亘って接触しないから摩擦力は大きく増加することはない。したがって、刃装置の上面が実質的に広くなり安定性が増すが摩擦力は大きく増加することがなく円滑に剃ることができる。
【００１１】
また、前端皮膚接触部と後端皮膚接触部の共通接線である第一接線上又はそれよりも下方に少なくとも１つの刃先縁を有する。少なくとも１つの刃先縁が第一接線よりも突出していないので、使用時における皮膚の負担を軽くすることができ、結果的に円滑に剃ることができる。
【００１２】
また、ガード部とキャップ部の共通接線である第二接線が前記第一接線と同じ高さ又はそれよりも下方に存在する。使用時に、第二接線が第一接線を越えて皮膚に接することがないので、前端皮膚接触部と後端皮膚接触部が確実に皮膚に接触する。
【００１３】
また、前端皮膚接触部と後端皮膚接触部の共通接線の両接点のスパンが、ガード部とキャップ部の共通接線の両接点のスパンの２倍以上４倍以下である。したがって、刃装置の上面を十分に広くすることができて足や腕を剃るときに安定性を得ることができる。
【００１４】
また、前端皮膚接触部と後端皮膚接触部は回転可能なローラーで構成され、刃の刃先縁が向く方向を前側として、枠部材の前側に取り付けられているローラーの前端から上端にかけての外周、及び枠部材の後側に取り付けられているローラーの後端から上端にかけての外周が、共に枠部材よりも外側にはみ出している。皮膚接触部を回転可能なローラーで構成することにより、ローラーが皮膚と接触して回転することにより両者の間の摩擦力は著しく減少するのでさらに円滑に剃ることができる。
【発明を実施するための最良の形態】
【００１５】
次に本発明の実施形態について説明する。図１は本発明の安全かみそりの刃装置である替刃１であって、この替刃１を柄に着脱自在に取り付けて使用する。
【００１６】
替刃１は、図２に示すカートリッジ２と図３に示す枠部材３とから成る。カートリッジ２は従来の男性用安全かみそりの替刃とほぼ同じ構造であり、前方にガード部４が設けられ、後方にキャップ部５が設けられており、ガード部４とキャップ部５の間に切断構造である刃の刃先縁６が存在する。切断構造の刃先縁６は３つ存在するがそれ以外の数でもよい。好ましくは２〜８の数がよい。ガード部４の表面にシェービングエイド７が横方向に延びるように設けられ、キャップ部５の表面に細長いシェービングエイド８が横方向に延びるように設けられている。また、シェービングエイド８はキャップ部５の表面に縦方向に延びるように形成された７つの溝９の中央を横切るように延びている。溝９の数は７に限定されるものでないが３〜１５程度が好ましい。溝９を形成することによりその中に溶けたシェービングエイドが溜まってさらに円滑に剃ることができる。ただし、溝９は存在しなくてもよい。
【００１７】
前述したように、カートリッジ２は従来の男性用安全かみそりの替刃とほぼ同じ構造であり、首振り式安全かみそりの構造を有している。したがって、この替刃１を安全かみそりの柄の上端に取り付けたときに替刃１は柄に対して揺動可能である。髭剃り中に顔の凹凸に対応して替刃１は揺動する。図４及び図５に示す符号１７は安全かみそりの柄に替刃１を取り付けるための取付構造である。取付構造１７はその外側に外板部１８を有し、内側に内板部１９を有する。外板部１８と内板部１９の間に凹所２０が形成されている。また、内板部１９にはジャーナル軸孔（図示せず。）が刃先縁６方向に設けられている。
【００１８】
図示しないが、安全かみそりの柄の頂部には一対のアームが設けられ、それぞれのアームの先端に内向きのジャーナル軸が取り付けられている。このアームは操作ボタンなどで通常の位置から外側に揺動させることができる。柄に替刃１を取り付けるときは、まず操作ボタンなどを操作して両アームを外側に揺動させ両ジャーナル軸の距離を広げる。次いでその状態のままアームの先端を取付構造１７の凹所２０に挿し込む。そして、操作ボタンを解除するとアームは元の位置に復帰し広げられていた両ジャーナル軸の距離が元の位置に狭まり、そのジャーナル軸は取付構造２０のジャーナル軸孔に挿入される。この操作によって替刃１は柄に揺動可能に取り付けられる。また、符号２７はカートリッジ２の底面に設けられた弧状突部である。この弧状突部２７の表面が、揺動した替刃１を元の位置に復帰させるためのカム面である。すなわち、弧状突部２７のカム面が安全カミソリの柄の上端のプッシャーから弾性的な圧力を受けることによりカム運動して、揺動した替刃１を元の位置に復帰させる。これらの構造は安全かみそりについて公知である。
【００１９】
図３に示すように、枠部材３は、その前部に前端皮膚接触部であるローラー１０を有し、後部に後端皮膚接触部であるローラー１１を有する。ローラー１０，１１は刃先縁６と平行でありいずれの方向にも回転可能である。また、ローラー１０，１１の表面にはシェービングエイドが設けられているが、一方のローラーのみにシェービングエイドを設けてもよく両ローラー１０，１１共にシェービングエイドを設けなくてもよい。両ローラー１０，１１の表面にはそれぞれ長手方向に延びる複数の溝１２，１３が設けられている。使用時にローラー１０，１１の回転を促すためである。枠部材１３のローラー１０，１１以外の部分は合成樹脂で一体に形成されている。
【００２０】
図４に示すように、カートリッジ２は両ローラー１０，１１の間に位置するように枠部材３に取り付けられる。図３に示すように、枠部材３の底面部１４の中央に開口１５が設けられている。この開口１５は剃られた毛を排出するために設けられている。底面部１４の両側にコ字形の切欠部１６，１６が設けられている。この切欠部１６，１６に、カートリッジ２の底面に設けられた結合構造１７，１７が入り込む。このように、カートリッジ２の結合構造１７，１７が切欠部１６，１６に入り込むことにより替刃１は組み立てられ、溶着によりカートリッジ２と枠部材３とを確実に結合する。溶着に代えて接着でもよく凹凸による係止でもよい。
【００２１】
図６は本発明の刃を４枚とした場合の各部材の位置的関係を示す簡略図である。なお、本発明がこれらの位置的関係に限定されないことは勿論である。前端皮膚接触部であるローラー１０及び後端皮膚接触部であるローラー１１の外周はそれらの表面に設けられた溝１２，１３を除いた部分の外周を表示している。符号２１は前端皮膚接触部であるローラー１０と後端皮膚接触部であるローラー１１の共通接線である第一接線である。符号２２はガード部４とキャップ部５の共通接線である第二接線である。第一接線２１は第二接線２２よりも上方に位置している。ガード部４に最も近い第一の刃２３の第一接線２１及び第二接線２２に対する露出量Ａはマイナスである。その後ろの第二の刃２４の第一接線２１及び第二接線２２に対する露出量Ｂは同じくマイナスである。その後ろの第三の刃２５の第二接線２２に対する露出量Ｃはプラスであり且つ第一接線２１に対する露出量はマイナスである。その後ろの第四の刃２６の第一接線２１及び第二接線２２に対する露出量Ｄはマイナスである。第一接線２１は第二接線２２よりも上方に間隔をあけて位置しているが、その間隔がゼロであってもよい。好ましい間隔はゼロ以上で３ｍｍ以下である。
【００２２】
第一接線２１の接点間の距離Ｅは６〜４０ｍｍであることが好ましく、第二接線２２の接点間の距離Ｆの２倍以上で１０倍以下が好ましい。第二接線２２の接点間の距離Ｆは３〜１５ｍｍであることが好ましい。第二接線２２とガード部４との接点から第一の刃２３の刃先縁までの第二接線上での距離をＨとし、第二接線２２とガード部４の接点から第一接線２１とローラー１０の接点までの第一接線上での距離をＧとして、Ｈ＜Ｇであり、好ましくはＨ＜Ｇ＜５Ｈである。距離Ｇは０．５〜１５ｍｍであることが好ましく、距離Ｈは０．３〜３ｍｍであることが好ましい。第四の刃２６の刃先縁から第二接線２２とキャップ部５の接点までの第二接線上での距離をＪとし、第二接線２２とキャップ部５の接点から第一接線２１とローラー１１の接点までの第二接線上での距離をＫとすると、Ｊ＜Ｋであり、好ましくはＪ＜Ｋ＜１０Ｊである。距離Ｊは０．５〜５ｍｍであることが好ましく、距離Ｋは０．５〜２０ｍｍであることが好ましい。なお、ガード部４の表面は平面部を有して前後の角（かど）がアールに形成されている。したがって、第二接線２２のガード部４における接点は、距離Ｇの基点がその一つの接点であり、そのほかに距離Ｈの基点がもう一つの接点であって２つ存在する。ガード部４の表面を例えば弧状に形成したときはそれら２つの基点は一致するから接点は１つとなる。キャップ部５の接点についても同様である。
【００２３】
前述したように、本発明はこのような位置関係に限定されるものではない。例えば、刃を２枚として、第一接線２１と第二接線２２の高さを同じとし、２枚の刃のそれぞれの露出量を共にゼロとしてもよい。また、刃を３枚として、それらの刃を前記第一の刃２３と第二の刃２４及び第三の刃２５と同じ位置関係にしてもよい。その場合、第四の刃２６が存在しないからキャップ部５はやや前方に移動することが好ましい。
【００２４】
次に、本発明の刃の露出量について説明する。安全かみそりが複数の刃を有するときは２種類の露出量の測り方が存在する。第一の測り方は、ガード部４とキャップ部５の共通接線である第二接線を基準として、各刃先縁から第二接線に垂直に下ろした直線の長さを露出量とする測り方である。第二の測り方は、測ろうとする刃の直前及び直後の皮膚係合部材の共通接線を基準とする測り方である。ここで、皮膚係合部材はガード部４とキャップ部５のほか、各刃が含まれる。したがって、第一の刃２３の露出量は、ガード部４と第二の刃２４の刃先縁との共通接線を基準として決定する。第二の刃２４の露出量は、第一の刃２３の刃先縁と第三の刃２５の刃先縁との共通接線を基準として決定する。これに基づいて、本発明の露出量は例えば以下の数値が用いられるが、これに限定されないことは勿論である。
１．前記第一の測り方
第一の刃とは最もガード部４に近い刃であり、後続の刃が順次続く。
ａ．安全かみそりが３枚の刃を有する場合
露出量は第一の刃から順次、ゼロ、＋０．０２５、ゼロｍｍとする。
ｂ．安全かみそりが４枚の刃を有する場合
露出量は第一の刃から順次、−０．１、ゼロ、＋０．０２５、ゼロｍｍとする。
ｃ．安全かみそりが５枚の刃を有する場合
露出量は第一の刃から順次、−０．１、ゼロ、＋０．０２５、ゼロ、−０．０２５ｍｍとする。
２．前記第二の測り方
ａ．安全かみそりが３枚の刃を有する場合
露出量は第一の刃から順次、−０．０１、＋０．０２５、−０．０１５ｍｍとする。
ｂ．安全かみそりが４枚の刃を有する場合
露出量は第一の刃から順次、−０．１、＋０．０３４、＋０．０２５、−０．０１５ｍｍとする。
ｃ．安全かみそりが５枚の刃を有する場合
露出量は第一の刃から順次、−０．１、＋０．０３４、＋０．０２５、ゼロ、−０．００２５ｍｍとする。
【００２５】
なお、本発明は前述した構成に基づいて種々の態様をとることが可能である。例えば、カートリッジ２を枠部材３に対して着脱自在に設けて交換可能としたり、カートリッジ２のみを安全かみそりの柄に取り付け、枠部材なしで使用できるようにしてもよい。枠部材なしのときは顔剃りに使用し、枠部材を装着したときは手や足を剃るのに用いる。前端皮膚接触部又は後端皮膚接触部の双方又は一方を上下動可能に設けてもよい。手動で上下させたり、弾性部材を用いて皮膚からの圧力でそれぞれの皮膚接触部が独自に動いてもよく、両皮膚接触部が互いに関係を付けて動くようにしてもよい。また、カートリッジ２内で刃が上下方向あるいは前後方向に移動可能としてもよい。その際、各刃が独立して移動してもよいし、複数又は全部の刃が一体的に移動してもよい。また、前端皮膚接触部又は後端皮膚接触部を摩擦係数の小さい材料で形成してもよい。
【図面の簡単な説明】
【００２６】
【図１】本発明の替刃の斜視図
【図２】カートリッジの斜視図
【図３】枠部材の斜視図
【図４】替刃の側面図
【図５】替刃の底面図
【図６】替刃の各部材の位置関係を示す簡略図
【符号の説明】
【００２７】
１  替刃
２  カートリッジ
３  枠部材
４  ガード部
５  キャップ部
６  刃先縁
７  シェービングエイド
８  シェービングエイド
９  溝
１０  ローラー
１１  ローラー
１２  溝
１３  溝
１４  枠部材の底面部
１５  開口
１６  切欠部
１７  取付構造
１８  外板部
１９  内板部
２０  凹所
２１  第一接線
２２  第二接線
２３  第一の刃
２４  第二の刃
２５  第三の刃
２６  第四の刃
２７  弧状突部
【図１】
0005243057.tif 000002
【図２】
0005243057.tif 000003
【図３】
0005243057.tif 000004
【図４】
0005243057.tif 000005
【図５】
0005243057.tif 000006
【図６】
0005243057.tif 000007